(57)【特許請求の範囲】
【請求項１】
給送手段によって給送されるシートを載置するシート載置部と、
該シート載置部の上部を覆う開閉可能なカバー部材と、
前記シート載置部上にシートが載置されたことを検知するシート検知手段とを有し、
該シート検知手段が作動部材と該作動部材の動きから載置したシートの有無を検出するセンサ部を備え、前記作動部材が前記カバー部材に回転可能に軸支されているシート給送装置において、
前記カバー部材を開から閉に回動する際、前記作動部材の延在方向と前記シート載置部に載置されたシートの面とでなす角度が小さくなる方向へ当該作動部材を回動する回動手段を設け、
前記回動手段は、前記作動部材が固定される回転軸に固定され、前記カバー部材の閉時に前記シート載置部の筐体に当接して前記作動部材をシートの面とでなす角度が小さくなる方向へ回動するレバー部材を備え、
前記シート載置部の筐体には、前記カバー部材を閉じるとき、前記レバー部材が当接位置から前記カバー部材の回動支点に近づく方向に傾斜する傾斜部が形成されていることを特徴とするシート給送装置。
【請求項２】
給送手段によって給送されるシートを載置するシート載置部と、
該シート載置部の上部を覆う開閉可能なカバー部材と、
前記シート載置部上にシートが載置されたことを検知するシート検知手段とを有し、
該シート検知手段が作動部材と該作動部材の動きから載置したシートの有無を検出するセンサ部を備え、前記作動部材が前記カバー部材に回転可能に軸支されているシート給送装置において、
前記カバー部材を開から閉に回動する際、前記作動部材の延在方向と前記シート載置部に載置されたシートの面とでなす角度が小さくなる方向へ当該作動部材を回動する回動手段を設け、
前記回動手段は、前記作動部材が固定される回転軸に固定され、前記カバー部材の閉時に前記シート載置部の筐体に当接して前記作動部材をシートの面とでなす角度が小さくなる方向へ回動するレバー部材を備え、
前記レバー部材は、前記作動部材が前記シート載置部に載置されるシートの最下位置より下がり、かつホームポジションに達するよりも前で前記筐体から離れることを特徴とするシート給送装置。
【請求項３】
請求項１または２に記載のシート給送装置において、前記シート検知手段は前記シート載置部へのシート載置によって前記作動部材がホームポジションからシート検知位置に移動することによりシート有りを検知するとともに、
前記作動部材にはホームポジションへの保持作用が付勢されており、
前記回動手段はその保持作用に抗して前記作動部材をシート検知位置方向に回動させることを特徴とするシート給送装置。
【請求項４】
請求項１〜３の何れか一項に記載のシート給送装置において、前記シート載置部の筐体と前記レバー部材との当接部はカバー部材の回動支点を中心として前記作動部材の回動支点を通る円よりも外側であることを特徴とするシート給送装置。
【請求項５】
請求項１〜４の何れか一項に記載のシート給送装置を具備することを特徴とする自動原稿搬送装置。
【発明の詳細な説明】
【技術分野】
【０００１】
本発明は、給送手段によって給送されるシートを載置するシート載置部と、該シート載置部の上部を覆う開閉可能なカバー部材と、前記シート載置部上にシートが載置されたことを検知するシート検知手段とを有するシート給送装置及び該シート給送装置を備える自動原稿搬送装置に関するものである。
【背景技術】
【０００２】
上記形式のシート給送装置はよく知られており、自動原稿搬送装置として複写機やファクシミリ等の画像形成装置あるいは画像読取装置に搭載されている。この種の自動原稿搬送装置では、原稿がセットされることで回動しフォトセンサのＯＮ／ＯＦＦを切り替えることにより原稿がセットされたことを検知するためのフィラーが多々用いられている。このフィラーは筐体を覆う上カバーに保持されているにおいて、シート検知手段がフィラーとしての作動部材と該フィラーの動きから載置したシートの有無を検出するセンサ部を備え、フィラーがカバー部材に回転可能に軸支されている。
【０００３】
このように構成された自動原稿搬送装置では、ジャム等が発生して給送部で原稿が停止すると、ユーザーはカバー部材を開放して原稿を取り除く、または載置部に正しくセットし直してからカバー部材を閉じている。このとき、従来の装置ではジャム処理やメンテナンスなどで開放したカバー部材を原稿台に原稿が積載されている状態で閉めた場合には、フィラーが原稿台に積載されている原稿に突き当たり、原稿にダメージが生じたり、もしくはフィラー自体が破損してしまう場合が多々あった。フィラーが原稿に接触した時に容易に逃げるようになっていれば問題はないが、給紙部のガイド形状は、用紙をしっかりと分離するために、分離部に突入する前に、傾斜を設け用紙を事前にばらしておくような形状になっており、この傾斜がフィラーが原稿に接触した際の、フィラーの退避を妨げる要因になっている。またフィラーの支点は原稿を正確に検知するためにはある程度その位置に制約があり、またスペースの制約上からも、フィラーが容易に退避するだけ支点位置を大きくずらすことが難しいことがあるので、部品を追加することなく安価な構成で原稿ダメージやフィラー破損を防止することができないという問題があった。
【０００４】
この問題を軽減するため、特許公報１にはフィラーを上カバーの開閉に連動して動かし、原稿ダメージやフィラーの破損を防止することが開示されている。しかしながら、特許文献１はそのフィラーの上カバーに連動させるため、リンク機構を使用しており、このため部品点数が多くローエンドな自動原稿搬送装置に搭載するための低コストで原稿ダメージやフィラー破損を防止する機構を提供するという課題は解消できないという問題があった。
【発明の概要】
【発明が解決しようとする課題】
【０００５】
本発明は、上記した従来の問題点に鑑み、部品を追加することなく安価な構成で原稿ダメージやフィラー破損を防止することができるシート給送装置及び自動原稿搬送装置を提供することを目的としている。
【課題を解決するための手段】
【０００６】
上記課題を解決するため、本発明は、給送手段によって給送されるシートを載置するシート載置部と、該シート載置部の上部を覆う開閉可能なカバー部材と、前記シート載置部上にシートが載置されたことを検知するシート検知手段とを有し、該シート検知手段が作動部材と該作動部材の動きから載置したシートの有無を検出するセンサ部を備え、前記作動部材が前記カバー部材に回転可能に軸支されているシート給送装置において、前記カバー部材を開から閉に回動する際、前記作動部材の延在方向と前記シート載置部に載置されたシートの面とでなす角度が小さくなる方向へ当該作動部材を回動する回動手段を設け、
前記回動手段は、前記作動部材が固定される回転軸に固定され、前記カバー部材の閉時に前記シート載置部の筐体に当接して前記作動部材をシートの面とでなす角度が小さくなる方向へ回動するレバー部材を備え、
前記シート載置部の筐体には、前記カバー部材を閉じるとき、前記レバー部材が当接位置から前記カバー部材の回動支点に近づく方向に傾斜する傾斜部が形成されていることを特徴とするシート給送装置を提案する。
【０００７】
なお、本発明は、前記回動手段は前記作動部材が固定されるに回転軸に固定され、前記カバー部材の閉時に前記シート載置部の筐体に当接して前記作動部材をシートの面とでなす角度が小さくなる方向へ回動するレバー部材を備えると有利である。
【０００８】
さらに、本発明は、前記シート検知手段は前記シート載置部へのシート載置によって前記作動部材がホームポジションからシート検知位置に移動することによりシート有りを検知するとともに、前記作動部材にはホームポジションへの保持作用が付勢されており、前記回動手段はその保持作用に抗して前記作動部材をシート検知位置方向に回動すると有利である。
【０００９】
さらにまた、本発明は、前記シート載置部の筐体と前記レバー部材が当接部はカバー部材の回動支点を中心として前記作動部材の回動支点を通る円よりも外側であると有利である。
さらにまた、本発明は、前記シート載置部の筐体には前記カバー部材を閉じるとき、前記レバー部材が当接位置から前記カバー部材の回動支点に近づく方向に傾斜する傾斜部が形成されていると有利である。
【００１０】
さらにまた、本発明は、前記レバー部材が前記作動部材が前記シート載置部に載置したシートの最下位置より下がり、かつ前記ホームポジションに達する前に前記筐体から離れると有利である。
【００１１】
また、上記課題を解決するため、本発明は、請求項１ないし７の何れかに記載のシート給送装置を具備することを特徴とする自動原稿搬送装置を提案する。
【発明の効果】
【００１２】
本発明によれば、実質上の部品を追加することなく、構成で簡単で安価であり、しかも確実に原稿ダメージやフィラー破損を防止することができる。
【図面の簡単な説明】
【００１３】
【図１】本発明にかかる自動原稿搬送装置の概略を示す全体図である。
【図２】原稿台に原稿がセットされた状態を示す説明図である。
【図３】原稿給送時の状態を示す説明図である。
【図４】従来の問題点を説明する説明図である。
【図５】本発明のシート給送装置の原稿検知フィラー部材を示す斜視図である。
【図６】本発明のシート給送装置の上カバーを僅かに開放した状態を示す説明図である。
【図７】図６の上カバーをさらに閉じた状態を示す説明図である。
【図８】原稿台に最大積載高さの原稿が載置されているときに上カバーを閉めた状態を示す説明図である。
【図９】原稿台に１枚の原稿が載置されているときに上カバーを閉めた状態を示す説明図である。
【図１０】原稿台に原稿が載置されていない状態を示す説明図である。
【図１１】レバー部材と筐体の当接部の関係を示す斜視図である。
【図１２】図１１のＤ−Ｄ線に従う断面図である。
【図１３】図１２と異なる状態の図１１のＤ−Ｄ線に従う断面図である。
【図１４】開放時の上カバーを示す説明図である。
【図１５】開放時の上カバーを示す説明図である。
【図１６】図１５における開放時の上カバーを示す斜視図である。
【発明を実施するための形態】
【００１４】
以下、本発明の実施形態を添付図面に従って説明する。
図１は、本発明に係るシート給送装置を用いる自動原稿搬送装置の概略図である。
図１において、上図は自動原稿搬送装置の断面図である。図において、１は自動原稿搬送装置であり、スキャナー等の画像読取装置２の上部に開閉可能に取り付けられている。画像読取装置２は、その上面にスリットガラス（読取位置）３が設けられており、自動原稿搬送装置１により原稿を搬送しスリットガラス３上を通過させることで原稿を読み取る。また図示しない操作部からの指示によって片面モードと両面モードを選択でき、その設定されたモードにより自動原稿搬送装置１の動作が制御される。なお、ユーザーは原稿６を原稿積置台５に画像面を上にしてページ順にセットする。
【００１５】
通常、ピックアップローラ７は原稿積置台５と所定間隔をあけて待機しており、原稿積置台５に原稿がセットされたことを原稿積置センサ８により検知され、かつ、図示しない操作部上で読取開始が指示された場合に、待機位置から下降して原稿６の上面と接触する位置に移動するように制御されている。また原稿設置部には原稿シャッタ２９が設けられており、原稿シャッタ２９はピックアップ上昇時（待機時）はその回動が規制され、ピックアップ下降時（読取開始時）は規制が解除され図中矢印方向に回動可能となるような機構になっている。よって、ユーザーは原稿を原稿シャッタ突き当てるようにセットすることできる。原稿シャッタ２９は原稿セット検知手段の原稿検知フィラー部材８と互いに干渉することがないように、原稿幅方向にずらして配置されている。
【００１６】
ピックアップローラ７によって送り出された原稿はフィードローラ９とリバースローラ１０を有する分離手段によって最上位から順次一枚づつ分離される。なお、分離手段はフィードローラ９と分離パッドを組み合わせたものであってもよい。
【００１７】
符号（イ）で示す搬送路はガイド１１、１１ａによって形成されており、分離部のフィードローラにより分離搬送された原稿をスリットガラス３上へ搬送させるための経路である。符号（ロ）で示す搬送路（ロ）はガイド１２、１２ａによって形成されており、スリットガラス上を通って搬送された原稿を排紙口１３へ移動させるための経路である。また符号１４は原稿排紙口１３から排紙された原稿をスタックするための排紙トレイである。符号（ハ）で示すスイッチバック搬送路は、原稿積置台５の下部で、かつ、原稿トレイ１４の上方に設けらたガイド１６と１６ａ、１６ａと分岐爪の間に形成されたものであり、排紙口１３から排紙された原稿をスイッチバックさせて、原稿後端から再び搬送路（イ）に導くためのものである。分岐爪１７は原稿トレイ１４の上方に設けられ、点線位置に切り替わることにより排紙口１３から排紙された原稿をスイッチバック経路（ハ）へ導き、原稿がスイッチバック経路（ハ）内に導入されると、実線位置に切り替わることによりスイッチバック搬送路（ハ）でスイッチバックされた原稿を後端から、符号（ニ）で示す搬送路に導く。搬送路（ニ）はガイド１８、１８ａの間に形成されたものであり、搬送路（イ）と合流しており、スイッチバックされた原稿を再び読取位置へ搬送するための経路である。反転ローラ２６、２６ａは単独で正転と逆転を切り替えるための手段を有しており、スイッチバック搬送路（ハ）へ搬送されてくる原稿をスイッチバック経路（ハ）内に導入し、その後逆転して、搬送経路（ニ）に原稿を搬送する。符号２８は読取ローラと読取ローラの間に配置されたセンサで、読取ローラにて搬送されている原稿の先端と読取開始のタイミングをあわせるためのものである。
【００１８】
次に、片面モードの態様について説明する。
原稿台５に原稿がセットされると、自重でホームポジションに位置している原稿検知フィラー部材８のフィラー８ａが原稿により図中時計方向に回動し、図示しない透過型センサのＯＮ／ＯＦＦを切り替える。片面モードを設定するもしくは両面モードを設定せずに原稿が原稿台５にセットされると片面モードが設定され、片面モードが設定された状態で図示しない操作部に設けられたスタートキーが押下されたとき、前述した原稿セット検知センサのＯＮ／ＯＦＦ信号により原稿積置台５上に原稿がセットされているか否かがチェックされる。
【００１９】
かくして、原稿セットが検知されると、モータが正回転し、ピックアップローラ７が下降し原稿に押圧されるとともにピックアップローラ７が図中時計方向に回転し、原稿を送り出す。
ピックアップローラにより送りだされた原稿は、フィードローラ９とリバースローラ１０を有する分離手段によって順次一枚づつ分離される。なお、分離手段はフィードローラ９と分離パッドを組み合わせたものであってもよい。
【００２０】
分離して送り出された原稿６の先端がセンサ２８に検知されると、読取開始タイミングがとられ、原稿の先端にあわせて読取が開始される。また、センサ２８により原稿の後端が検知されると、読取終了のタイミングがとられ、原稿の後端にあわせて読取が終了される。片面モードの時は分岐爪が常に図中実線位置あるため読取後に排紙口１３から排紙トレイ１４に排紙されて、画像面を下に積載されていく。
【００２１】
モータは常に駆動されているが、搬送ローラ１９の線速をフィードローラ９の線速に対して早く設定することで、紙間を形成する。すべての原稿の読取が終了すると、モータが逆転しピックアップローラ７を上昇させて待機位置に移動させる。
【００２２】
次に、両面モードの態様について説明する。
両面モードが設定された状態で図示しない操作部に設けられたスタートキーが押下されたとき、原稿セット検知センサのＯＮ／ＯＦＦにより原稿積置台５上に原稿がセットされているか否かがチェックされる。原稿セットが検知されると、モータが正回転し、ピックアップローラ７が下降し原稿に押圧されるとともにピックアップローラ７が図中時計方向に回転し、原稿を送りだす。ピックアップローラにより送りだされた原稿は、フィードローラ９とリバースローラ１０（もしくは分離パッド）にて順次一枚づつ分離される。
【００２３】
次いで、原稿６の先端がセンサ２８に検知されると、読取開始タイミングがとられ、原稿の先端にあわせて読取が開始される。またセンサ２８で先端を検知すると、分岐爪を図中点線位置に移動し、反転ローラ２６は正転方向（図中時計回り方向）に回転させる。さらに原稿６の先端をセンサ２８にて検知すると、フィードローラ９およびピックアップローラ７の駆動をクラッチなどにより解除し、次原稿を給紙せずに待機しておく。センサ２８により原稿の後端が検知されると、読取終了のタイミングがとられ、原稿の後端にあわせて読取が終了される。
【００２４】
その後、原稿は排紙口１３からスイッチバック経路（ハ）に搬送される。センサ２８からある時間Ｔ後（原稿後端が排紙口１３を完全に抜けるだけの時間を経過した後）に、分岐爪を図中実線位置に切り替えるとともに、反転ローラ２６の回転方向を逆転方向（図中反時計回り方向）にし、原稿を搬送路（ニ）へ導く。
【００２５】
次いで、搬送路（ニ）に進入した原稿は搬送路（イ）へ送り込まれる。そして原稿の先端がセンサ２８に検知されると、表面と同様に、原稿６の裏面の読取動作が行われる。またセンサ２８で先端を検出すると、再び分岐爪１７を図中点線位置に移動し、反転ローラ２６は正転方向に回転させる。この時、読取前ローラ２０と反転ローラ２６は相反する方向へ回転しているが、反転ローラ軸上にトルクリミッタを設けることにより、読取前ローラに従うようになっている。裏面の読取動作が終了すると、再びスイッチバックされて搬送路（イ）へ送り込まれるが、このときは読取動作は行わない。またセンサ２８により原稿の先端が検知されても、分岐爪を実線位置の状態にすることで原稿を排紙トレイ１４に表面を下にして排紙させる。原稿後端の３回目の通過がセンサ２８によって検知された時点で、原稿積置センサ８が原稿を検知していたとき、次原稿の給紙動作が行われる。
【００２６】
以下、原稿セット検知センサが原稿を検知しなくなるまで上述の動作を繰り返し行うことにより、原稿積置台５の原稿についての両面原稿処理が終了する。
図２は、原稿台５に原稿がセットされた状態を図示したものである。図２に示すように、原稿は原稿シャッタ２９に突き当ててセットされている。読取開始ボタンが押下されると、本図に示していないピックアップローラが下降し、シャッタ２９の規制が解除され、原稿が送られる。ところが、送られた原稿にカールや折れなどの変形があると搬送経路上でＪＡＭ（紙つまり）になることがある。図３は読取動作中に前原稿でＪＡＭが発生したときの次原稿の様子を図示したものである。ただし次原稿の位置は前原稿がどこでＪＡＭしたかによって変わる。ＪＡＭが発生した場合にはユーザーは上カバー３１を解放し、ＪＡＭ原稿を取り除く。しかし、ユーザーが次原稿を取り除かずに上カバー３１を閉める場合もある。
【００２７】
原稿検知フィラー部材８は上カバー３１に保持されていることが多く、従来は図４に示すように開放した上カバー３１を閉める際に、原稿台上に残った原稿にフィラー８ａが突き当たり、原稿にダメージを与たり、フィラー自体が破損してしまうことがあった。フィラー８ａが原稿に接触した時にフィラー８ａの回動支点から接触点までの距離が長さＡより短いとこの問題が起こり易いとすると、フィラー８ａが左方に寝て容易に逃げるようになっていれば問題はないが、給紙部のガイド形状は、図４に示すように用紙をしっかりと分離するために、分離部に突入する前に、傾斜を設けて、用紙を事前にばらしておくような形状になっており、この傾斜によりフィラー８ａが原稿に接触した際の、フィラー８ａの退避を妨げる要因になっている。またフィラー８ａの支点は原稿を正確に検知するためにはある程度その位置に制約があり、またスペースの制約上からも、フィラー８ａが容易に退避するだけの支点からの接触点距離を大きくすることが難しいことがある。特に装置を小型化するためには後に詳述するオーバーラップ量（図１０のＢ）を大きく取れないため、Ａを大きくとることが難しくなる。また、原稿セット後の図１の状態でユーザーがメンテナンス等で上カバー３１を開放することもあり、その場合も上記と同様な問題が発生する。
【００２８】
そこで、本発明では上述したような原稿検知フィラー部材８による原稿ダメージやフィラー自体の破損を防止するため、次のように措置を講じている。
本実施形態に係る自動原稿搬送装置は、原稿検知フィラー部材８のフィラー８ａが原稿がセットされることで回動し、フォトセンサ（図示せず）のＯＮ／ＯＦＦを切り替えることにより原稿がセットされたことを検知するためのものである。
【００２９】
図５を用いて本例の原稿検知フィラー部材８について説明する。
図５は，原稿検知フィラー部材８の斜視図であり、フィラー８ａは図示していない機枠に回転自在に装着された回転軸８ｂに固定され、該フィラー８ａがセットされた原稿に押されると、それによってフィラー８ａが回転軸８ｂとともに回動する。なお、フィラー８ａの設置位置は原稿幅方向において最小用紙幅内に配置されている。回転軸８ｂには、検知片８ｃが固定され、この検知片８ｃがフィラー８ａの回転によって回転することで図示していない透過型センサを遮断したり開放したりする。このことにより透過型センサのＯＮ／ＯＦＦを切り替えられ、センサの出力により原稿がセットされたか否かを判断する。なお、検知片８cは原稿最大幅よりも外側に設けられている。
【００３０】
さらに、回転軸８ｂにはレバー部材４０が固定され、このレバー部材４０も検知片８ｃと同様に原稿最大幅よりも外側に設けられている。
なお、原稿検知フィラー部材８はフィラー８ａにより回転軸８ｂを中心として自重により常に図中時計回り方向に回動力が付勢されており、上カバー３１が開放されたり、原稿がない状態ではフィラー８ａと一体に設けた舌部８ｄが上カバー３１の内面に当接してフィラー８ａのそれ以上の回動を阻止するとともに、フィラー８ａをその姿勢に保持している。
【００３１】
次に、図６ないし図１０を用いて本発明に係る上カバー３１の閉じ動作でフィラーを回動する回動手段について説明する。なお、図面はわかりやすいように上カバーに一体もしくは別体で設けられた通紙リブ（通紙面）は省略している。
【００３２】
図６は上カバー３１を閉じる途中の状態を示す説明図である。
図６において、上カバー３１が閉まる時のフィラー８ａの姿勢は舌部８ｄであるフィラー姿勢保持部が自重による回転力によって上カバー３１に当接することで決まっている。それにより、回転軸８ｂに固定されたレバー部材４０は図５に示すように上カバー３１の閉じ時において筐体にもうけた当接部３０に常に同じ姿勢で当接させることができる。レバー部材４０が筐体の当接部３０が接触すると、原稿検知フィラー部材８は重力に反して回転軸８ｂを中心として図中反時計回り方向に回転する。この回転により、フィラー８ａが寝かせることができる。すなわち、置かれている原稿があった場合、その原稿面とフィラー８ａの下面稜線とでなす角度を小さくすることができる。
【００３３】
かくして、原稿台５に原稿を載置したまま上カバー３１の開閉を行ってもフィラー８ａは原稿に接触する直前にフィラー８ａを寝かせるので、フィラー８ａで原稿を傷つけたり、またはフィラー８ａが破損したりすることが大幅に軽減される。また、フィラー８ａは上カバー３１が閉じられて稼動状態に戻ったときにおいて、レバー部材４０は当接部３０の下に入り込んで当接部３０の傾斜面から離れるので、原稿検知フィラー部材８はフィラー８ａの動きが妨げられることがなく、原稿の誤検知等の問題を起こすこともない。
【００３４】
ところで、筐体の当接部３０は図７に示すように、上カバー３１の回動支点を中心として、原稿検知フィラー部材８の回転支点を半径とする円をＲ１とすると、円Ｒ1よりも外側に設けることが好ましい。これは当接部３０を円Ｒ１の外側に設けることにより、上カバー３１を閉めるに従い、フィラーの支点が当接部に近づいていくため、退避量を大きく取りやすくなるためである。さらに、当接部３０は傾斜面からなり該傾斜面は上方に向けカバー回転支点から遠ざかる傾斜面にすることによって、フィラーの稼動量を大きくとることができる。さらにまた、当接面３０の傾斜面は原稿検知フィラーとの接触点での垂線が、前記用紙検知手段の支点に対して、前記用紙検知手段を自重（もしくは付勢手段）に反して回転させる方向であるような角度にするにより、スムーズにフィラーを退避させることが可能となる。
【００３５】
図８は、原稿台５に最大積載高さの原稿が載置されているときに上カバー３１を閉めた場合の様子を示している。本実施形態ではフィラー８ａが原稿に接触するとほぼ同時にレバー部材４０の錘状に形成された先端が当接部３０に当接するようにしている。このときのレバー部材４０の当接部３０への当接はフィラー８ａが原稿に接触した後であってもよく、かかる状態では上カバー３１の角度も加わるため、原稿ダメージやフィラー破損の起こることはない。
【００３６】
そして、レバー部材４０の当接部３０への当接は図９に示す原稿台５に１枚の原稿が残っているとき、フィラー８ａが原稿に接触するまでである。特に、原稿枚数が少なく高さがないときにはフィラー８ａと原稿面との接触角度が直角に近づくため、この状態までレバー部材４０が当接部３０に当接させて寝かせる必要がある。原稿１枚の図９では原稿ダメージやフィラー破損の起こらないような支点からの接触点距離を危険な距離Ａより長い距離Ａ”となるように確保している。したがって、レバー部材４０が当接部３０に接してフィラー８ａを寝かすのはＡ”点に達するまでで、これを越えると直ちに離す必要がある。それは図１０に示すように原稿台５に原稿がない状態で、上カバー３１を完全に閉じたとき、フィラー８ａを完全にフリー状態としてホームポジションに位置させるためである。すなわち、フィラー８ａの先端は図１０の高さＢ（原稿１枚のとき）で原稿有りを検知し、高さＢ’で原稿なしを確実に検知するためである。なお、寝かし開始時期は図８のほぼＡ’点から行えばよい。
【００３７】
図１１はレバー部材４０と筐体の当接部３０の斜視図、図１２、１３は斜視図におけるＤ−Ｄ断面である。
この状態では図１１に示すようにフィラーのレバー部材４０が筐体側の当接部３０を乗り越えおり、接触していない状態である。フィラー８ａは図１０におけるＣ点でガイドと接触することによりその姿勢が保たれている。これは、腕の短い８ｂで姿勢を決めるよりも腕の長い８ａで姿勢を決めたほうがチャタリング防止の点で有利であるためである。また、上カバー３１を開放する際には、図１１に示すようにフィラーの８ｂ部の傾斜部に筐体が接触し、図中矢印方向（時計回り方向）にフィラー８ａを回転させながら上カバー３１が開放される。これにより上カバー開時もフィラー８ａに負荷をかけることがない。
【００３８】
次に、上カバー３１を開放した時の説明をする。
図１４はＪＡＭ処理やメンテナンスのために開放した状態の上カバー３１とフィラー８ａを図示したものである。上カバー３１は図示しない部分でそれ以上開放しないように規制され、また開放状態を維持できるような保持手段を有する。そのためユーザーは上カバーから手を離した状態でＪＡＭ処理やメンテナンスを容易に行うことが可能となっている。上カバー３１には通紙リブ３１ａもしくは通紙面が一体もしくは別体で形成されており、上カバー開放時にフィラー８ａがその通紙リブ３１ａよりも飛び出していると、ユーザーがＪＡＭ処理やメンテナンスを行っている時に、フィラー８ａに接触しフィラー８ａを破損してしまう可能性がある。
【００３９】
そこで，フィラー８ａは上カバー開放時には通紙リブ３１ａよりも内側になるように自重のバランスを設定することが望ましい。これによりＪＡＭ処理時のフィラーへの接触を低減することができる。さらに、レバー部材４０を機械前方ではなく後方に設けることによって、ＪＡＭ処理時のフィラー８ａへの接触をさらに低減することができる。
【００４０】
さらに、図１５、図１６に示すように上カバー開放時にレバー部材４０が隠れるように上カバーに目隠し形状３１ｂを設けることによってＪＡＭ処理時のフィラーへの接触をさらに低減することができる。
【００４１】
以上、好ましい実施形態について説明したが、本発明は上記実施形態のみに限定されずに各種改変することができるものである。
例えば、原稿検知フィラー部材８の回動力の付勢は自重に限らずバネ等の付勢手段を用いてもよく、また自重を利用する場合であっても適当な重り部材を設けて回動させるようにしても良い。
【符号の説明】
【００４２】
５  原稿台
８  原稿検知フィラー部材
８ａ  フィラー
８ｂ  回転軸
８ｄ  舌部
３０  当接部
３１  上カバー
４０  レバー部材
【先行技術文献】
【特許文献】
【００４３】
【特許文献１】特開２００３−９５４８０号公報
【図１】
0005633187.tif 000002
【図２】
0005633187.tif 000003
【図３】
0005633187.tif 000004
【図４】
0005633187.tif 000005
【図５】
0005633187.tif 000006
【図６】
0005633187.tif 000007
【図７】
0005633187.tif 000008
【図８】
0005633187.tif 000009
【図９】
0005633187.tif 000010
【図１０】
0005633187.tif 000011
【図１１】
0005633187.tif 000012
【図１２】
0005633187.tif 000013
【図１３】
0005633187.tif 000014
【図１４】
0005633187.tif 000015
【図１５】
0005633187.tif 000016
【図１６】
0005633187.tif 000017